(57)【要約】  本開示は電子機器の制御方法を提供する。電子機器はタッチ式ディスプレイ画面および近接センサを含む。近接センサはタッチ式ディスプレイ画面の表示領域の下に配置される。制御方法は、近接センサを非アクティブ状態のままとすること、タッチ式ディスプレイ画面が遮蔽されているかどうかをタッチ式ディスプレイ画面により出力される信号に基づいて判定すること、タッチ式ディスプレイ画面が遮蔽されている場合にタッチ式ディスプレイ画面を消灯状態に入るように制御して近接センサをアクティブ状態にすること、および、タッチ式ディスプレイ画面の表示状態を近接センサの検出データに基づいて制御すること、を含む。また、本開示は制御装置、電子機器、記憶媒体、およびコンピュータ装置も提供する。
2021516406.tif 000002
【特許請求の範囲】
【請求項１】
電子機器の制御方法であって、前記電子機器はタッチ式ディスプレイ画面および近接センサを含み、前記タッチ式ディスプレイ画面は表示領域を含み、前記近接センサは前記タッチ式ディスプレイ画面の前記表示領域の下に配置され、前記制御方法は、
前記近接センサを非アクティブ状態のままとすることと、
前記タッチ式ディスプレイ画面が遮蔽されているかどうかを前記タッチ式ディスプレイ画面により出力される信号に基づいて判定することと、
前記タッチ式ディスプレイ画面が遮蔽されている場合に前記タッチ式ディスプレイ画面を消灯状態に入るように制御して前記近接センサをアクティブ状態にすることと、
前記タッチ式ディスプレイ画面の表示状態を前記近接センサの検出データに基づいて制御することと、
を含む、方法。
【請求項２】
前記タッチ式ディスプレイ画面が遮蔽されている場合に前記タッチ式ディスプレイ画面を前記消灯状態に入るように制御して前記近接センサをアクティブ状態にすることは、
前記タッチ式ディスプレイ画面と物体の間の距離が第１所定距離未満であるかどうかを前記タッチ式ディスプレイ画面により出力される前記信号に基づいて判定することと、
前記電子機器の姿勢を検出して前記電子機器が所定の姿勢となっているかどうかを判定することと、
前記タッチ式ディスプレイ画面と前記物体の間の前記距離が前記第１所定距離未満であり前記電子機器が前記所定の姿勢となっている場合に、前記電子機器が遮蔽されていると判定することと、
前記タッチ式ディスプレイ画面を前記消灯状態に入るように制御して、前記近接センサをアクティブ状態にすることと、
を含む、請求項１に記載の制御方法。
【請求項３】
前記タッチ式ディスプレイ画面の前記表示状態を前記近接センサの前記検出データに基づいて制御することは、
物体と前記電子機器の間の距離が第２所定距離以下である場合に、前記タッチ式ディスプレイ画面を前記消灯状態を維持するように制御すること、または
物体と前記電子機器の間の距離が第２所定距離より大きい場合に、前記タッチ式ディスプレイ画面を点灯状態へ切り替えるように制御して、前記近接センサを非アクティブ状態にすること、
を含む、請求項１または２に記載の制御方法。
【請求項４】
前記タッチ式ディスプレイ画面を前記点灯状態へ切り替えるように制御して前記近接センサを非アクティブ状態にした後に、
前記電子機器が電話サービスに入っているかどうかを判定することと、
前記電子機器が前記電話サービスに入っている場合に前記近接センサを非アクティブ状態のままとすることと、
をさらに含む、請求項３に記載の制御方法。
【請求項５】
前記タッチ式ディスプレイ画面の前記消灯状態は、
前記表示領域の全体が消灯されていること、または
前記表示領域の一部が所定のコンテンツを表示しながら前記表示領域の残りの部分が消灯されていること、
を含む、請求項１〜４のいずれか一項に記載の制御方法。
【請求項６】
前記近接センサを非アクティブ状態のままとする前に、
前記電子機器が電話サービスに入るかどうかを判定することと、
前記電子機器が前記電話サービスに入る場合に前記近接センサを非アクティブ状態のままとすることと、
をさらに含む、請求項１〜５のいずれか一項に記載の制御方法。
【請求項７】
タッチ式ディスプレイ画面および近接センサを含む電子機器であって、前記タッチ式ディスプレイ画面は表示領域を含み、前記近接センサは前記タッチ式ディスプレイ画面の前記表示領域の下に配置され、前記タッチ式ディスプレイ画面は前記タッチ式ディスプレイ画面が点灯状態の場合に物体と前記電子機器の間の距離を検出して前記タッチ式ディスプレイ画面の表示状態を制御する信号を出力するよう構成され、前記タッチ式ディスプレイ画面が前記点灯状態の場合に前記近接センサは非アクティブ状態にされ、前記タッチ式ディスプレイ画面が消灯状態の場合に前記近接センサはアクティブ状態にされる、電子機器。
【請求項８】
タッチ式ディスプレイ画面、近接センサ、およびプロセッサを含む電子機器であって、前記タッチ式ディスプレイ画面は表示領域を含み、前記近接センサは前記タッチ式ディスプレイ画面の前記表示領域の下に配置され、前記プロセッサは、
前記近接センサを非アクティブ状態のままとすることと、
前記タッチ式ディスプレイ画面が遮蔽されているかどうかを前記タッチ式ディスプレイ画面により出力される信号に基づいて判定することと、
前記タッチ式ディスプレイ画面が実質的に遮蔽されている場合に前記タッチ式ディスプレイ画面を消灯状態に入るように制御して前記近接センサをアクティブ状態にすることと、
前記タッチ式ディスプレイ画面の表示状態を前記近接センサの検出データに基づいて制御することと、
を行うよう構成される、電子機器。
【請求項９】
前記プロセッサは、
前記タッチ式ディスプレイ画面と物体の間の距離が第１所定距離未満であるかどうかを前記タッチ式ディスプレイ画面により出力される前記信号に基づいて判定することと、
前記電子機器の姿勢を検出して前記電子機器が所定の姿勢となっているかどうかを判定することと、
前記タッチ式ディスプレイ画面と前記物体の間の前記距離が前記第１所定距離未満であり前記電子機器が前記所定の姿勢となっている場合に、前記電子機器が遮蔽されていると判定することと、
前記タッチ式ディスプレイ画面を前記消灯状態に入るように制御して、前記近接センサをアクティブ状態にすることと、
を行うよう構成される、請求項８に記載の電子機器。
【請求項１０】
前記プロセッサは、
物体と前記電子機器の間の距離が第２所定距離以下である場合に、前記タッチ式ディスプレイ画面を前記消灯状態を維持するように制御すること、または
物体と前記電子機器の間の距離が第２所定距離より大きい場合に、前記タッチ式ディスプレイ画面を点灯状態へ切り替えるように制御して、前記近接センサを非アクティブ状態にすること、
を行うよう構成される、請求項８または９に記載の電子機器。
【請求項１１】
前記プロセッサはさらに、前記タッチ式ディスプレイ画面を前記点灯状態へ切り替えるよう制御して前記近接センサをアクティブ状態にした後に前記電子機器が電話サービスに入っているかどうかを判定し、前記電子機器が前記電話サービスに入っている場合は前記近接センサを非アクティブ状態のままとするよう構成される、請求項１０に記載の電子機器。
【請求項１２】
前記プロセッサはさらに、前記近接センサを非アクティブ状態のままとする前に前記電子機器が電話サービスに入るかどうかを判定し、前記電子機器が前記電話サービスに入る場合は前記近接センサを非アクティブ状態のままとするよう構成される、請求項８から１１のいずれか一項に記載の電子機器。
【請求項１３】
前記ディスプレイ層は上面および上面と反対側に下面を含み、前記電子機器は、前記下面にコーティングされていて前記近接センサを覆う第１被覆層をさらに含み、前記第１被覆層は赤外光を透過して可視光を遮るよう構成され、前記近接センサは前記第１被覆層および前記タッチ式ディスプレイ画面を介して赤外光を送信、および／または、受光するよう構成される、請求項８〜１２のいずれか一項に記載の電子機器。
【請求項１４】
前記電子機器はハウジング、収容ケース、導光器、および光センサをさらに含み、前記収容ケースは前記ハウジングと摺動自在に結合されて前記ハウジングから外へ延在する、または前記ハウジングの中へ格納することができて、前記収容ケースには光線入射穴が設けられ、前記導光器は前記収容ケースに収容されて部分的に前記光線入射穴の中へと延び、前記導光器は光線入射面および前記光線入射面と反対側に発光面を有し、前記光線入射面は前記収容ケースの外側を向いており、前記発光面は前記収容ケースの内側を向いており、前記光センサは前記収容ケースに収容されて前記発光面と対面しており、前記タッチ式ディスプレイ画面は前記ハウジング上に配置される、請求項８〜１２のいずれか一項に記載の電子機器。
【請求項１５】
前記収容ケースが内側側面を有し、前記内側側面は位置決め溝を画定し、前記位置決め溝は前記光線入射穴と連通し、前記導光器は光線入射部および発光部を含み、前記光線入射面は、前記光線入射部の前記発光部から離れた端面であり、前記発光面は、前記発光部の前記光線入射部から離れた端面であり、前記光線入射部は前記光線入射穴を貫通し、前記発光部は部分的または完全に前記位置決め溝に挿入される、請求項１４に記載の電子機器。
【請求項１６】
１つまたは複数のプロセッサにより実行された場合に、前記１つまたは複数のプロセッサに請求項１〜６のいずれか一項に記載の制御方法を実行させるコンピュータ実行可能命令を含む、非一時的コンピュータ可読記憶媒体。
【発明の詳細な説明】
【技術分野】
【０００１】
関連出願の相互参照
本願は、２０１８年６月１１日に出願された中国特許出願第２０１８１０５９６３４４．１号明細書に基づくとともに同特許出願に対する優先権を主張し、その内容の全体は参照により本明細書に援用される。
【０００２】
本開示は電子技術分野に関し、より詳細には制御方法、制御装置、電子機器および記憶媒体に関する。
【背景技術】
【０００３】
現在、全画面携帯電話が大手携帯電話製造会社の主要な商品となっている。従来技術では、携帯電話の画面占有率を高めるため、近接センサがディスプレイ画面の下に配置される。しかし、近接センサは携帯電話の外にある物体と携帯電話の間の距離を検出するために動作している間に継続的に赤外光を照射するので、赤外光によってディスプレイ画面の部品内で電子が容易に移動し、ディスプレイ画面上に局所的なフリッカー現象が発生して、ユーザー体験上の不利益となる。
【発明の概要】
【０００４】
本開示の実施形態は制御方法、制御装置、電子機器および記憶媒体を提供する。
【０００５】
本開示は電子機器の制御方法を提供する。電子機器はタッチ式ディスプレイ画面および近接センサを含む。タッチ式ディスプレイ画面は表示領域を含む。近接センサはタッチ式ディスプレイ画面の表示領域の下に配置される。制御方法は、近接センサを非アクティブ状態のままとすること、タッチ式ディスプレイ画面が遮蔽されているかどうかをタッチ式ディスプレイ画面により出力される信号に基づいて判定すること、タッチ式ディスプレイ画面が遮蔽されている場合にタッチ式ディスプレイ画面を消灯状態に入るように制御して近接センサをアクティブ状態にすること、および、タッチ式ディスプレイ画面の表示状態を近接センサの検出データに基づいて制御すること、を含む。
【０００６】
本開示はさらに電子機器を提供する。この電子機器は近接センサおよびタッチ式ディスプレイ画面を含む。タッチ式ディスプレイ画面は表示領域を含む。近接センサはタッチ式ディスプレイ画面の表示領域の下に配置される。タッチ式ディスプレイ画面は、タッチ式ディスプレイ画面が点灯状態の場合に物体と電子機器の間の距離を検出してタッチ式ディスプレイ画面の表示状態を制御する信号を出力するよう構成される。タッチ式ディスプレイ画面が点灯状態の場合に近接センサは非アクティブ状態にされ、タッチ式ディスプレイ画面が消灯状態の場合に近接センサはアクティブ状態にされる。
【０００７】
本開示は別の電子機器を提供する。この電子機器はタッチ式ディスプレイ画面、近接センサおよびプロセッサを含む。タッチ式ディスプレイ画面は表示領域を含む。近接センサはタッチ式ディスプレイ画面の表示領域の下に配置される。プロセッサは、近接センサを非アクティブ状態のままとすること、タッチ式ディスプレイ画面が遮蔽されているかどうかをタッチ式ディスプレイ画面により出力される信号に基づいて判定すること、タッチ式ディスプレイ画面が実質的に遮蔽されている場合にタッチ式ディスプレイ画面を消灯状態に入るように制御して近接センサをアクティブ状態にすること、および、タッチ式ディスプレイ画面の表示状態を近接センサの検出データに基づいて制御すること、を行うように構成される。
【０００８】
本開示はさらにコンピュータ実行可能命令を含む不揮発性コンピュータ可読記憶媒体を提供し、このコンピュータ実行可能命令は１つまたは複数のプロセッサにより実行された場合に、１つまたは複数のプロセッサに電子機器の制御方法を実行させる。
【０００９】
本開示の実施形態を用いて、電子機器のタッチ式ディスプレイ画面により出力される信号が使用されてタッチ式ディスプレイ画面の状態を制御して近接センサを非アクティブ状態にすることで、近接センサにより照射される赤外光がタッチ式ディスプレイ画面と干渉するのを防ぐので、ユーザー体験が向上する。
【図面の簡単な説明】
【００１０】
本開示の実施形態のこれらの態様および他の態様ならびに利点は、添付の図面を参照してなされる以下の説明から明らかとなり、より容易に理解されるであろう。
【図１】本開示の実施形態に係る電子機器の概略平面図である。
【図２】本開示の実施形態に係る電子機器の概略断面図である。
【図３】本開示の実施形態に係る電子機器の概略断面図である。
【図４】本開示の実施形態に係る電子機器の概略断面図である。
【図５】本開示の実施形態に係る電子機器の概略断面図である。
【図６】本開示の実施形態に係る電子機器の概略断面図である。
【図７】本開示の実施形態に係る電子機器の概略断面図である。
【図８】本開示の実施形態に係る電子機器の概略断面図である。
【図９】本開示の実施形態に係る電子機器の概略断面図である。
【図１０】本開示の実施形態に係る電子機器の概略断面図である。
【図１１】本開示の実施形態に係る電子機器の概略断面図である。
【図１２】本開示の実施形態に係る電子機器の概略断面図である。
【図１３】本開示の実施形態に係る電子機器の一つの状態の模式図である。
【図１４】本開示の実施形態に係る電子機器の別の状態の模式図である。
【図１５】図１４の線Ａ−Ａに沿った電子機器の部分断面図である。
【図１６】本開示の実施形態に係る電子機器の導光器の概略斜視図である。
【図１７】本開示の実施形態に係る電子機器の導光器の別の概略斜視図である。
【図１８】本開示の実施形態に係る制御方法の概略フローチャートである。
【図１９】本開示の実施形態に係る制御方法の別の概略フローチャートである。
【図２０】本開示の実施形態に係る制御装置のブロック図である。
【図２１】本開示の実施形態に係る制御方法の別の概略フローチャートである。
【図２２】本開示の実施形態に係る電子機器の利用状況を示す模式図である。
【図２３】本開示の実施形態に係る制御方法の概略フローチャートである。
【図２４】本開示の実施形態に係る制御方法の概略フローチャートである。
【図２５】本開示の実施形態に係る制御方法の概略フローチャートである。
【図２６】本開示の実施形態に係るコンピュータ装置の模式図である。
【発明を実施するための形態】
【００１１】
本開示の実施形態について詳細に説明し、実施形態の例を図面で示す。同一または類似の要素、および同一または類似の機能を有する要素は説明を通じて類似の参照数字で示される。本明細書で図面を参照して説明される実施形態は説明的であり、本開示を説明する役割を果たし、本開示の実施形態を制限するとは解釈されない。
【００１２】
電子機器の開発に伴い、全画面が携帯電話の開発のトレンドとなった。高い画面占有率という全画面の特徴により、近接センサまたは他の部品に残された画面上部の領域が制限される。近接センサが光透過性ディスプレイ画面の下に配置される場合、近接センサはディスプレイ画面内の電子を励起し、光電効果により赤外光を照射する過程で光透過性ディスプレイ画面にフリッカーを生じさせて、光透過性ディスプレイ画面の正常な表示と干渉し、ユーザー体験に影響を与える。
【００１３】
図１〜３に示されるように、本開示の実施形態は電子機器１００を提供する。この電子機器はタッチ式ディスプレイ画面１０３、近接センサ１６、光センサ５、およびプロセッサ２３を含む。タッチ式ディスプレイ画面１０３はディスプレイ層１３を含み、ディスプレイ層１３は表示領域１３１１を含み、近接センサ１６は表示領域１３１１の下に配置される。近接センサ１６により照射される赤外光は表示領域１３１１を通過できる。近接センサ１６は、赤外光を照射して物体により反射された赤外光を受光し、物体と電子機器１００の間の距離を検出するよう構成される。
【００１４】
本開示の実施形態は、携帯電話である電子機器１００を例として示される。近接センサ１６は携帯電話内に与えられ、携帯電話と障害物の間の距離を特定してそれに応じて調整が行われるので、ユーザの誤操作を防ぎ、携帯電話の電力消費を抑える。ユーザが電話に出る、または電話をかけて携帯電話を自分の頭に近づけると、近接センサ１６は発光部が赤外光を照射する時間および受光部が反射された赤外光を受光する時間を求めることで検出情報を生成し、プロセッサ２３は検出情報に基づいてディスプレイ層１３を閉じる。携帯電話が頭から離れると、プロセッサ２３は近接センサ１６によりフィードバックされた検出情報に基づいて、再びディスプレイ層１３を開放する。
【００１５】
一部の実施形態では、ディスプレイ層１３はＯＬＥＤディスプレイ層を含む。
【００１６】
詳細には、ＯＬＥＤディスプレイ層は良好な光線透過率を有し、可視光および赤外光をよりよく透過することができる。それゆえ、ＯＬＥＤディスプレイ層はコンテンツを提示している間に近接センサ１６により赤外光を照射および受光するのに影響を与えることはない。また、ディスプレイ層１３はマイクロＬＥＤディスプレイ層とすることもできて、マイクロＬＥＤディスプレイ層も可視光および赤外光に対して良好な透過率を有する。もちろん、これらのディスプレイ層は単なる例示に過ぎず、本開示の実施形態はこれらに限定されない。さらに、ディスプレイ層１３はハウジング２０に配置されうる。
【００１７】
図３に示されるように、一部の実施形態では、タッチ式ディスプレイ画面１０３は透明カバー板１１およびタッチ層１２をさらに含む。透明カバー板１１はタッチ層１２上に配置され、タッチ層１２はディスプレイ層１３上に配置され、ディスプレイ層１３の上面１３１はタッチ層１２に面し、透明カバー板１１およびタッチ層１２の可視光および赤外光に対する光線透過率はいずれも９０％より大きい。
【００１８】
詳細には、タッチ層１２は、主にユーザによる信号入力を受信して、信号をデータ処理のために回路基板へ送信するよう構成され、これによりユーザがタッチ層１２へ触れた特定の場所を得る。タッチ層１２がディスプレイ層１３上に配置されているということは、タッチ層１２がディスプレイ層１３と接触していることを指しうることに留意するべきであり、例えばタッチ層１２はインセルまたはオンセル接合技術を使うことでディスプレイ層１３へ取り付けることができて、これによりディスプレイ層１３の重さおよびディスプレイ層１３の全厚を効果的に減少させることができる。また、タッチ層１２がディスプレイ層１３上に配置されているということは、タッチ層１２がディスプレイ層１３の上に配置され、ディスプレイ層１３から離間されていることも指しうる。
【００１９】
さらに、タッチ層１２上に透明カバー板１１を配置することで、タッチ層１２およびその内部構造を効果的に保護することができて、外力によるタッチ層およびディスプレイ層１３への損傷を防ぐことができる。透明カバー板１１およびタッチ層１２の可視光および赤外光に対する光線透過率はいずれも９０％より大きく、これはディスプレイ層１３がコンテンツをよりよく提示するのに利点となるだけでなく、ディスプレイ層１３の下に配置された近接センサ１６が赤外光を安定的に照射および受光するのにも利点となり、その結果、近接センサ１６が正常動作するのを確かにする。
【００２０】
図４に示されるように、一部の実施形態では、ディスプレイ層１３は上面１３１および下面１３２を含む。電子機器１００は、下面１３２にコーティングされていて近接センサ１６を覆う第１被覆層１４をさらに含む。第１被覆層１４は、赤外光を透過して可視光を遮るよう構成され、近接センサ１６は第１被覆層１４およびディスプレイ層１３を介して赤外光を送信、および／または、受光するよう構成される。
【００２１】
詳細には、赤外光を透過するように第１被覆層１４を構成することで近接センサ１６が正常動作するのを確かにすることができて、可視光を遮るように第１被覆層１４を構成することで、電子機器１００を外部から見た場合に近接センサ１６が見えないという効果を実現することができる。
【００２２】
図４、図５に示されるように、一部の実施形態では、近接センサ１６は発光部１６１１および受光部１６１２を含む。発光部１６１１は第１被覆層１４およびディスプレイ層１３を介して赤外光を照射するよう構成され、受光部１６１２は物体により反射された赤外光を受光して物体と電子機器１００の間の距離を検出するよう構成される。
【００２３】
詳細には、一般的にユーザが電話に出る、または電話をかける場合、電子機器１００がユーザの頭に接近し、発光部１６１１が赤外光を照射し、受光部１６１２が反射された赤外光を受光して、プロセッサ２３は画面を制御してバックライトをオフにするように適切にコマンドを発行するために赤外光の照射から受光までの時間を計算する。電子機器１００が頭から離れた場合、プロセッサ２３はフィードバックデータに基づいて再び計算を行い、画面のバックライトをオンにするように命令を発行する。このようにして、ユーザの誤操作が防止され、携帯電話の電力消費は抑えられる。
【００２４】
一部の実施形態では、近接センサ１６の下面１３２上の直交射影は第１被覆層１４の下面１３２上の直交射影の中にある。
【００２５】
詳細には、組立工程中に近接センサ１６を設置するには一般的に組み立て時に隙間を空けておく必要があり、近接センサ１６と他の部品の間に間隙が生じて、可視光がこの間隙から入ることができて光線漏れが起こる。それゆえ、近接センサ１６とディスプレイ層１３が積層される方向で、第１被覆層１４の下面１３２上の直交射影の面積が近接センサ１６の下面１３２上の直交射影の面積より大きいので、第１被覆層１４は近接センサ１６の正常動作に影響を与えることなく近接センサ１６を充分遮蔽することができるので、電子機器１００を外部から見た場合に近接センサ１６が見えないという効果が実現される。
【００２６】
図５に示されるように、一部の実施形態では、近接センサ１６の下面１３２上の直交射影は第１被覆層１４の下面１３２上の直交射影と一致する。
【００２７】
詳細には、近接センサ１６とディスプレイ層１３が積層される方向で、第１被覆層１４の下面１３２上の直交射影の面積を近接センサ１６の下面１３２上の直交射影の面積と等しくなるように設定しうる。このようにして、第１被覆層１４は近接センサ１６の正常動作に影響を与えることなく近接センサ１６をちょうど遮蔽することができて、その結果、電子機器１００をディスプレイ層１３の上面１３１に向かう上面１３１に垂直な方向から見た場合に近接センサ１６は見えない。
【００２８】
図６に示されるように、さらにこの実装では電子機器１００は、下面１３２上に配置され近接センサ１６を囲む光遮蔽層１７をさらに含む。
【００２９】
詳細には、第１被覆層１４の下面１３２上の直交射影の面積が近接センサ１６の下面１３２上の直交射影の面積と等しい場合は、近接センサ１６が設置される空間の容積は近接センサ１６の体積より大きいので、電子機器１００を外部環境から見た場合に近接センサ１６の周囲の空間に光線漏れが起こる。それゆえ、近接センサ１６を囲む光遮蔽層１７を提供することで、近接センサ１６と近接センサ１６の周囲の空間の間の間隙が埋められて、光線漏れ現象は解消される。光遮蔽層１７は黒色材料で出来た発泡体とすることができる、または他の黒色の発泡プラスチックもしくは発泡ゴムとすることができる。もちろん、これらの材料は単なる例示に過ぎず、本開示の実施形態はこれらに限定されない。
【００３０】
一部の実施形態では、第１被覆層はＩＲインキを含む。ＩＲインキは赤外光に対して８５％を超える透過率を有し、ＩＲインキは可視光に対して６％を下回る透過率を有し、ＩＲインキにより透過可能な赤外光は８５０ｎｍから９４０ｎｍの波長を有する。
【００３１】
詳細には、ＩＲインキは可視光に対して低い光線透過率を有するので、第１被覆層１４の下に配置された近接センサ１６は、電子機器１００を外部から見た場合、人間の視覚のために視覚的に観測されない。一方で、ＩＲインキは赤外光に対して高い透過率を有するので、近接センサ１６は赤外光を安定的に照射および受光できるので、近接センサ１６が正常動作するのを確かにする。
【００３２】
図７および図８に示されるように、一部の実施形態では、電子機器１００は、下面１３２にコーティングされていて第１被覆層１４と接触する第２被覆層１５をさらに含む。
【００３３】
詳細には、第１被覆層１４は、主に赤外光を透過して近接センサ１６を遮蔽するよう構成される。しかし、第１被覆層１４に塗布されるＩＲインキのコストは通常の黒インキのコストより高いので、下面１３２全体をＩＲインキでコーティングすることは製造コストの削減に対して不利となる。そのうえ、通常の黒インキは可視光に対してＩＲインキよりも低い透過率を実現することができて、遮蔽効果はより優れている。したがって、第２被覆層１５を提供することは、製造コストを削減するのに有利なだけでなく、遮蔽効果を工程の要求により適合させる。
【００３４】
図９および図１０に示されるように、一部の実施形態では、電子機器１００は、下面１３２を覆い近接センサ１６を避けるクッション層１８をさらに含む。
【００３５】
詳細には、クッション層１８は、タッチ層１２ならびにディスプレイ層１３およびその内部構造を保護するために衝撃力を軽減し、振動を防いで、ディスプレイ層１３が外部衝撃により損傷を受けるのを防ぐように構成される。クッション層１８は発泡体、発泡プラスチックもしくは発泡ゴム、または他の軟質材料で作ることができる。もちろん、これらのクッション材料は単なる例示に過ぎず、本開示の実施形態はこれらに限定されない。さらに、近接センサ１６は、クッション層１８が近接センサ１６を遮蔽するのを防ぐためにバッファ層１８を与える間は避けられるので、近接センサ１６による赤外光の透過および受光に影響を与えるのを防ぐ。
【００３６】
図１１および図１２に示されるように、さらにこの実装では電子機器１００は、クッション層１８を覆い近接センサ１６を避ける金属シート１９をさらに含む。
【００３７】
詳細には、金属シート１９は電磁妨害を遮断するとともに接地を行うよう構成され、温度上昇を放散させる機能を有する。金属シート１９は銅箔やアルミ箔などの金属材料から切断することができる。もちろん、これらの金属材料は単なる例示に過ぎず、本開示の実施形態はこれらに限定されない。さらに、近接センサ１６は、金属シート１９が近接センサ１６を遮蔽するのを防ぐために金属シート１９を与える間は避けられるので、近接センサ１６が赤外光を透過および受光する間に影響を受けるのを防ぐ。
【００３８】
図１３〜図１５に示されるように、一部の実施形態では、電子機器１００はハウジング２０、収容ケース２００、導光器５１、および光センサ５をさらに含む。収容ケース２００はハウジング２０と摺動自在に結合され、ハウジング２０から外へ延在する、またはハウジング２０の中へ格納することができる。収容ケース２００には光線入射穴２００６が設けられる。導光器５１は収容ケース２００に収容され、部分的に光線入射穴２００６の中へと延びる。導光器５１は光線入射面５１１および光線入射面５１１と反対側に発光面５１２を有し、光線入射面５１１は収容ケース２００の外側を向いており、発光面５１２は収容ケース２００の内側を向いている。光センサ５は収容ケース２００に収容され、発光面５１２と対面している。
【００３９】
このように、光線入射穴２００６は電子機器１００のタッチ式ディスプレイ画面１０３内ではなく電子機器１００の収容ケース２００内に配置されているので、光線入射穴２００６はタッチ式ディスプレイ画面１０３の画面占有率を制限することなく光センサ５が環境光を受光する要件を満たすことができるので、電子機器１００の画面占有率は相対的に大きくなる。
【００４０】
詳細には、図１３〜図１４に示されるように、電子機器１００は視野角を基準に規定される。電子機器１００は幅方向Ｘ、長さ方向Ｙ、および厚さ方向Ｚを有する。長さ方向Ｙは幅方向Ｘと垂直であり、厚さ方向Ｚは幅方向Ｘおよび長さ方向Ｙとそれぞれ垂直である。
【００４１】
ハウジング２０は上部端面１００２と上部端面１００２の反対側に配置される底部端面１００３をさらに含む。概して、上部端面１００２および底部端面１００３は幅方向Ｘに延在しうる。つまり、上部端面１００２および底部端面１００３は電子機器１００の短辺である。底部端面１００３は電子機器１００のコネクタ、マイク、スピーカー、および同種のものが配置されるよう構成される。
【００４２】
図１４に示されるように、受け溝１００４がハウジング２０の上部に設けられる。受け溝１００４はハウジング２０の上部からハウジング２０の内側へ向けて窪んでいる。受け溝１００４はハウジング２０の側面を貫通する。収容ケース２００は受け溝１００４内でハウジング２０と摺動自在に結合されている。つまり、収容ケース２００はハウジング２０と摺動自在に結合されて、受け溝１００４から外へ延在する、または受け溝１００４の中へ格納することができる。
【００４３】
機能要素３００は収容ケース２００内に配置しうる。機能要素３００は、例えばカメラ、受話器、またはレーザー発光器である。カメラは光線入射穴２００６を介して露出されている。例えば、機能要素３００は収容ケース２００の側面にある光線入射穴２００６を介して露出されている。収容ケース２００がハウジング２０から外へ延在する場合、カメラは電子機器１００の外部画像を撮影できる。カメラは例えばＲＧＢカメラであってもよい。
【００４４】
一部の実施形態では、収容ケース２００は外側側面を有し、光線入射面５１１の一部またはすべてが外側側面から突出する。このように、収容ケース２００は光線入射面５１１をより少なく遮蔽する、または光線入射面５１１を遮蔽せず、その結果、光線入射面５１１はより多くの環境光を受光することができて、導光器５１５１は外部の光を光センサ５へとよりうまく誘導することができる。
【００４５】
この実施形態では、収容ケース２００の外側側面は上面２００３を含み、上面２００３には光線入射穴２００６が設けられる。導光器５１は上面２００３にある光線入射穴２００６に対応する。つまり、光センサ５は上面２００３上にある光線入射穴２００６を通過する光を導光器５１を介して受光する。したがって、光センサ５は、収容ケース２００がハウジング２０から外へ延在するか、ハウジング２０の中へ格納されるかに関わらず、環境光を検出することができる。光線入射面５１１の一部またはすべてが上面２００３から突出する。
【００４６】
図１５〜図１７に示されるように、光線入射面５１１は中央領域５１１１と中央領域５１１１の周囲に配置される端部領域５１１２を有する。中央領域５１１１は端部領域５１１２に対して突出している。この場合、光線入射面５１１の面積は大きく、より多くの外部の光が導光器５１へ入ることができる。光線入射面５１１は曲面である。
【００４７】
一部の実施形態では、収容ケース２００は内側側面２０６３を有する。内側側面２０６３は位置決め溝２０６４を画定する。位置決め溝２０６４は光線入射穴２００６と連通する。導光器５１は光線入射部５１３および発光部５１４を含む。光線入射面５１１は、光線入射部５１３の発光部５１４から離れた端面である。発光面５１２は、発光部５１４の光線入射面５１３から離れた端面である。光線入射部５１３は光線入射穴２００６を通り抜け、発光部５１４は部分的または完全に位置決め溝２０６４内に挿入される。
【００４８】
この場合、導光器５１および収容ケース２００は互いに対して固定され、簡単には摺動しない。一方で、封止要素を発光部５１４の光線入射部５１３に面する表面へ接着することができる。封止要素は光線入射部５１３を連続的に囲むために設けられる。封止要素は封止するために位置決め溝２０６４の溝壁面および発光部５１４に当接されて、外部の粉塵、水蒸気、または同種のものが光線入射穴２００６を通って収容ケース２００の内部へ入るのを防ぐ。
【００４９】
一部の実施形態では、発光面５１２の面積は光線入射面５１１の面積より大きく、光線入射部５１３の断面積は光線入射面５１１の方向において発光面５１２に向かって徐々に大きくなる。
【００５０】
詳細には、光線入射部５１３は略円錐台形状であり、これは光が透過されて光線入射部５１３で拡散されて発光部５１４へ均一に入る上で利点となる。
【００５１】
一部の実施形態では、導光器５１は位置決め部５１５をさらに含む。位置決め部５１５および発光部５１４は光センサ５を収容する収容スペース５１６を囲む。収容スペース５１６に収容された光センサ５は、位置決め部５１５および発光部５１４によって電子機器１００が落下した、または衝撃を受けた場合に生じる損傷から守ることができる。発光面５１２と光センサ５の光検出領域５２の間に間隙が作られる。
【００５２】
図１８に示されるように、本開示は電子機器１００の制御方法を提供する。
制御方法は以下を含む。
【００５３】
ブロックＳ０２において、近接センサ１６が非アクティブ状態のままとなるよう制御される。
【００５４】
ブロックＳ０３において、タッチ式ディスプレイ画面１０３が遮蔽されているかどうかがタッチ式ディスプレイ画面１０３により出力される信号に基づいて判定される。
【００５５】
ブロックＳ０４において、タッチ式ディスプレイ画面１０３が遮蔽されている場合にタッチ式ディスプレイ画面１０３が消灯状態に入るよう制御され、近接センサ１６がアクティブ状態にされる。
【００５６】
ブロックＳ０５において、タッチ式ディスプレイ画面１０３の表示状態が近接センサ１６の検出データに基づいて制御される。
【００５７】
さらに、上記の制御方法のブロックＳ０２〜Ｓ０５における活動はプロセッサ２３により実行されうる。つまり、プロセッサ２３は、近接センサ１６を非アクティブ状態のままとすること、タッチ式ディスプレイ画面１０３が遮蔽されているかどうかをタッチ式ディスプレイ画面１０３により出力される信号に基づいて判定すること、タッチ式ディスプレイ画面１０３が遮蔽されている場合にタッチ式ディスプレイ画面１０３を消灯状態に入るように制御して近接センサ１６をアクティブ状態にすること、および、タッチ式ディスプレイ画面１０３の表示状態を近接センサ１６の検出データに基づいて制御すること、を行うように構成される。
【００５８】
本開示の実施形態に係る制御方法および電子機器１００では、電子機器１００のタッチ式ディスプレイ画面１０３により出力される信号が使用されてタッチ式ディスプレイ画面１０３の状態を制御して近接センサ１６を非アクティブ状態にすることで、近接センサ１６により照射される赤外光がタッチ式ディスプレイ画面１０３と干渉するのを防ぐので、ユーザー体験が向上する。
【００５９】
図１９に示されるように、一部の実施形態では、ブロックＳ０２における活動より前に、方法は以下をさらに含む。
【００６０】
ブロックＳ０１において、電子機器１００が電話サービスに入るかどうかが判定され、入る場合はブロックＳ０２における活動を実行することができる。
【００６１】
図２０に示されるように、本開示の実施形態は電子機器１００用の制御装置２０００をさらに提供する。本開示の実施形態に係る電子機器１００の制御方法は、本開示の実施形態に係る電子機器１００の制御装置２０００により実行しうる。
【００６２】
制御装置２０００は、第１判定モジュール２１、第１制御モジュール２２、第２判定モジュール２４、および第２制御モジュール２５を含む。第１判定モジュール２１は、電子機器１００が電話サービスに入るかどうかを判定するよう構成される。第１制御構成要素２２は、電子機器１００が電話サービスに入る場合に近接センサ１６が非アクティブ状態のままとなるよう制御を行うよう構成される。第２判定モジュール２４は、ディスプレイ層１３が人の頭の近くであるかどうかをタッチ層１２により出力される信号に基づいて判定するよう構成される。第２制御モジュール２５は、ディスプレイ層１２が人の頭に接近した際にディスプレイ層１３を消灯状態に入るように制御して近接センサ１６をアクティブ状態にするよう構成される。第２制御構成要素２５はさらに、ディスプレイ層１３を消灯状態のままとなるよう制御する、またはディスプレイ層１３を近接センサ１６の検出データに基づいて点灯状態へ切り替えるよう構成される。
【００６３】
つまり、ブロックＳ０１における活動は第１判定モジュール２１により実行することができて、ブロックＳ０２における活動は第１制御モジュール２２により実行することができて、ブロックＳ０３における活動は第２判定モジュール２４により実行することができて、ブロックＳ０４からＳ０５における活動は第２制御モジュール２５により実行することができる。
【００６４】
タッチ式ディスプレイ画面１０３は、例えば静電容量式タッチ式ディスプレイ画面１０３とすることができる。タッチ式ディスプレイ画面１０３は物体とタッチ式ディスプレイ画面１０３の間の距離に応じて異なる静電容量値を出力することができて、タッチ式ディスプレイ画面１０３が遮蔽されているかどうかはタッチ式ディスプレイ画面１０３により出力される静電容量値およびこれらの静電容量値の個数に基づいて判定することができる。例えば、タッチ式ディスプレイ画面１０３が５つの静電容量値を出力し、この５つの静電容量値が実質的に同じ場合はタッチ式ディスプレイ画面１０３が遮蔽されていると判定される。
【００６５】
一例では、電子機器１００が電話サービスに入る場合、ユーザは一般的に電子機器１００を耳の近くに置く。電子機器１００を耳の近くに置く過程で、皮膚のある体の一部、例えば顔や耳は導体であるので、タッチ式ディスプレイ画面１０３は電子機器１００と人の頭の間の距離に応じて異なる信号値を生成することができて、これによりユーザが電子機器１００を耳の近くに置く動作を完了したかどうかが判定され、その結果、近接センサ１６をアクティブ状態にするか否かが制御される。
【００６６】
さらに、ユーザは一般的に電子機器１００を耳の近くに置いた後は電子機器の画面を見ない。この場合、タッチ式ディスプレイ画面１０３をオフにするように制御してもよく、これはユーザの通常の会話に影響を与えることはなく、近接センサ１６をアクティブ状態にしてユーザと電子機器１００の間の距離を検出するように制御することができて、その結果、プロセッサ２３がタッチ式ディスプレイ画面１０３のオンとオフを制御する場合に、ユーザー体験がフリッカー現象のために劣化することはない。
【００６７】
さらに、近接センサ１６は、ユーザが電子機器１００を耳の近くに置いた後にのみアクティブ状態にされる。つまり、近接センサ１６は、ユーザが電子機器１００を耳の近くに置く前は非アクティブ状態にされている。それゆえ、ユーザが電子機器１００を耳の近くに置く前は、ユーザがタッチ式ディスプレイ画面１０３を見る際にフリッカー現象は発生せず、ユーザー体験が劣化することはない。
【００６８】
さらに、ブロックＳ０１における活動で、電話サービスは電話をかけること、電話を受けること、または電話をつなぐことを含む。電話をかける、電話を受ける、または電話をつなぐ場合、一般的にユーザが電子機器１００を耳の近くに置いて、タッチ式ディスプレイ画面１０３の状態を電子機器１００と人の頭の間の距離に応じて近接センサ１６で調整することが理解できる。この場合、電子機器１００が人体から離れている場合に画面がオンにされ、電子機器１００が人体の近くにある場合に画面がオフにされて、その結果、ユーザの誤操作が防止されて、電子機器１００の電力消費が抑えられる。そのうえ、電話サービスはユーザが音声による会話を行うプロセスであってもよい。例えば、電話サービスは、ユーザが別の相手に電話をかけてその相手が電話に出るのを待つプロセス、すなわち電話をかけている状態、ユーザが他の人と声を使って話しているプロセス、すなわち電話をつないでいる状態、または電子機器１００が外からの電話に接続してユーザが電話に出るの待つプロセス、すなわち電話を受けている状態である。
【００６９】
ブロックＳ０２において、一例では、電子機器１００が着信電話に接続する場合はタッチ式ディスプレイ画面１０３は一般的に点灯状態である。例えば、電子機器１００が電話を受ける場合、タッチ式ディスプレイ画面１０３は発信者の氏名、電話番号、および同種のものを表示する。この場合、近接センサ１６は非アクティブ状態のままであり、近接センサ１６が赤外光を照射するのを防ぐことができるので、ユーザがタッチ式ディスプレイ画面１０３を見る際に赤外光によるフリッカー現象を観測することはない。
【００７０】
ブロックＳ０３において、タッチ式ディスプレイ画面１０３が遮蔽されているということは、タッチ式ディスプレイ画面１０３が完全に遮蔽されていることを指しうる、またはタッチ式ディスプレイ画面１０３が部分的に遮蔽されていることを指しうる。例えば、タッチ式ディスプレイ画面１０３は人の頭と接触する場合、または人の頭の近くにある場合に遮蔽される。
【００７１】
ブロックＳ０４において、タッチ式ディスプレイ画面１０３が消灯状態に入った後は、近接センサ１６により照射された赤外光はタッチ式ディスプレイ画面１０３に影響を与えない。近接センサ１６により照射された赤外光がタッチ式ディスプレイ画面１０３上でフリッカー現象を引き起こしたとしても、ユーザは電話に出ているので、フリッカー現象が観測されることはない。
【００７２】
ブロックＳ０５において、タッチ式ディスプレイ画面１０３の消灯状態は表示領域１３１１が完全に消灯されていること、または表示領域１３１１の一部が所定のコンテンツを表示しながら表示領域１３１１の残りの部分が消灯されていることを含む。表示領域１３１１が完全に消灯状態である場合、表示領域１３１１は黒く見える。
【００７３】
表示領域１３１１の一部が所定のコンテンツを表示しながら表示領域１３１１の残りの部分が消灯されているということは、表示領域１３１１の一部のみが点灯されて所定のコンテンツを表示し、表示領域１３１１の残りの部分が消灯されていることを指す。例えば、表示領域１３１１の一部のみが点灯されて所定のコンテンツを表示している場合、タッチ式ディスプレイ画面１０３はＡＯＤ（Ａｌｗａｙｓ  ｏｎ  Ｄｉｓｐｌａｙ、常時表示）モードになっている。所定のコンテンツは、例えば時刻であってもよい。つまり、表示領域１３１１は、タッチ式ディスプレイ画面１０３が消灯状態または点灯状態のいずれに入るかに関わらず、時刻情報を表示することができる。もちろん、所定のコンテンツは日付、電子機器１００の信号の強度、および同種のものであってもよい。好ましくは、所定のコンテンツを表示する表示領域１３１１の一部および近接センサ１６はタッチ式ディスプレイ画面１０３の厚さ方向でずらして配置される。
【００７４】
タッチ式ディスプレイ画面１０３の点灯状態とは、ディスプレイ層１３の表示領域１３１１の全体が点灯されて表示領域１３１１にコンテンツを表示できることを指す。この場合、ユーザはタッチ式ディスプレイ画面に触れてそれぞれの操作を実行することができる。
【００７５】
図２１に示されるように、一部の実施形態では、ブロックＳ０４における活動は以下を含む。
【００７６】
ブロックＳ０４１において、タッチ式ディスプレイ画面１０３と物体の間の距離が第１所定距離未満であるかどうかがタッチ式ディスプレイ画面１０３により出力される信号に基づいて判定される。
【００７７】
ブロックＳ０４２において、電子機器１００の姿勢が検出されて、電子機器１００が所定の姿勢となっているかどうかが判定される。
【００７８】
ブロックＳ０４３において、タッチ式ディスプレイ画面１０３と物体の間の距離が第１所定距離未満であり、電子機器１００が所定の姿勢となっている場合に、電子機器１００が遮蔽されていると判定される。
【００７９】
ブロックＳ０４４において、ディスプレイ層１３が消灯状態に入るよう制御され、近接センサ１６がアクティブ状態にされる。
【００８０】
一部の実施形態では、ブロックＳ０４１からＳ０４４における上記の活動はプロセッサ２３により実行することができる。
【００８１】
したがって、このようにして近接センサ１６をアクティブ状態にするように制御してディスプレイ層１３をオフにするように制御するプロセスをより精密にすることができる。図２２に示されるように、ある状況では、電子機器１００が電話サービスに入ったとしても、それだけではユーザが電子機器１００を耳の近くに置く動作を完了したことをタッチ式ディスプレイ画面１０３により出力される信号に基づいて判定するのには充分ではないことが理解できる。例えば、電子機器１００が電話サービスに入った後にユーザの指がタッチ式ディスプレイ画面１０３に触れて、その過程で電子機器１００がユーザの耳の近くに置かれておらず、またタッチ式ディスプレイ画面１０３は異なる信号を出力する。
【００８２】
そして、電子機器１００の姿勢を判定することで、電子機器１００がユーザの耳の近くに置かれているかどうかがさらに判定される。詳細には、電子機器１００の姿勢はジャイロスコープや重力センサなどのセンサを使って判定することができる。さらに、電子機器１００は多くの姿勢、例えば横置き姿勢、反転された姿勢、または垂直姿勢で置くことができる。ユーザは通常、会話を始める際に電子機器１００をユーザの耳に垂直姿勢で置くために手を持ち上げる動作をするので、所定の姿勢をユーザが手を持ち上げる動作をした後に電子機器１００が置かれる垂直姿勢であるとして設定することができる。ユーザが手を持ち上げるプロセスが電子機器１００のジャイロスコープ、重力センサ、および同種のものにより検出可能であることが理解できる。
【００８３】
ブロックＳ０４１において、前述したように、タッチ式ディスプレイ画面１０３と物体の間の距離は、タッチ式ディスプレイ画面１０３により出力される静電容量値およびその静電容量値の個数に基づいて判定することができる。
【００８４】
ブロックＳ０４２において、電子機器１００の姿勢はジャイロスコープなどの電子機器１００のセンサにより検出することができる。
【００８５】
本開示の例では、ブロックＳ０４２における活動はブロックＳ０４１における活動の後に行われることに留意されたい。しかし、他の実施形態では、ブロックＳ０４２における活動はブロックＳ０４１における活動の前に行われてもよく、または、ブロックＳ０４１における活動と同時に行われてもよい。
【００８６】
一部の実施形態では、ブロックＳ０３における活動は、ディスプレイ層１３が遮蔽されているかどうかをタッチ式ディスプレイ画面１０３の上部領域により出力される信号に基づいて判定することを含む。
【００８７】
一部の実施形態では、プロセッサ２３は、ディスプレイ層１３が遮蔽されているかどうかをタッチ式ディスプレイ画面１０３の上部領域により出力される信号に基づいて判定するよう構成される。
【００８８】
電子機器１００の受光部は一般的に電子機器１００の上部に配置されるので、一例では、ユーザが電話に出る際に電子機器１００の上部が耳の付近により近くなる。それゆえ、電子機器１００が頭の近くにあるかどうかを判定する精度は、タッチ式ディスプレイ画面１０３が遮蔽されているかどうかをタッチ式ディスプレイ画面１０３の上部領域により出力される信号に基づいて判定することで改善することができる。
【００８９】
図２３に示されるように、一部の実施形態では、ブロックＳ０５における活動は以下を含む。
【００９０】
ブロックＳ０５１において、物体と電子機器１００の間の距離が第２所定距離以下である場合、ディスプレイ層１３は消灯状態を維持するように制御される。
【００９１】
一部の実施形態では、プロセッサ２３は、人の頭と電子機器１００の間の距離が第２所定距離以下である場合にディスプレイ層１３を消灯状態を維持するように制御するよう構成される。
【００９２】
このようにして、電子機器１００の電力消費を抑えることができる。
【００９３】
図２４に示されるように、一部の実施形態では、ブロックＳ０５における活動の後に、方法は以下をさらに含む。
【００９４】
ブロックＳ０５２において、物体と電子機器１００の間の距離が第２所定距離より大きい場合、タッチ式ディスプレイ画面１０３は点灯状態へ切り替わるよう制御されて、近接センサ１６は非アクティブ状態にされる。したがって、近接センサ１６により照射される赤外光がディスプレイ層１３上でフリッカー現象を引き起こすのを防ぐことができる。
【００９５】
図２５に示されるように、一部の実施形態では、制御方法はブロックＳ０５２における活動の後に以下をさらに含む。
【００９６】
ブロックＳ０６において、電子機器１００が電話サービスに入っているかどうかが判定され、入っている場合はブロックＳ０２における活動を実行することができる。
【００９７】
一部の実施形態では、プロセッサ２３は、電子機器１００が電話サービスに入っているかどうかを判定し、電子機器１００が電話サービスに入っている場合は近接センサ１６を非アクティブ状態のままとするよう構成される。
【００９８】
このようにして、ユーザは電話中に電子機器１００が耳から離された場合にフリッカー現象により煩わされることはなく、これによりユーザー体験が向上する。電話中にユーザは一時的に電子機器１００を耳から離してタッチ式ディスプレイ画面１０３を介して電子機器１００を操作しうることが理解できる。この場合、近接センサ１６がアクティブ状態のままだと、近接センサ１６により照射される赤外光により引き起こされるフリッカー現象がタッチ式ディスプレイ画面１０３と干渉することでユーザー体験が劣化しうる。それゆえ、物体と電子機器１００の間の距離が第２所定距離より大きい場合、タッチ式ディスプレイ画面１０３は点灯状態へ切り替わるよう制御され、その結果、ユーザはタッチ式ディスプレイ画面１０３を介して電子機器１００を操作できる。
【００９９】
そして、電子機器１００が電話サービスに入っていない場合は、電話が終了したと推測できるため、制御方法はすぐに終了する。電子機器１００がなおも電話サービスに入っている場合は、ユーザがタッチ式ディスプレイ画面１０３を介して電子機器１００を操作するために一時的に電子機器１００を耳から離していると推測できる。それゆえ、近接センサ１６は、近接センサ１６により照射される赤外光により引き起こされるフリッカー現象がタッチ式ディスプレイ画面１０３と干渉することを防ぐために非アクティブ状態となるよう制御される。
【０１００】
ユーザが一時的に電子機器１００を耳から離した後に電子機器１００を耳へ戻して電話を続けるので、ブロックＳ０２における活動を実行し、近接センサ１６をアクティブ状態となるように制御して、ユーザが電子機器１００を耳へ戻した際にタッチ式ディスプレイ画面１０３が消灯状態に入るように制御することができる。
【０１０１】
本開示はさらに電子機器１００を提供する。電子機器１００はタッチ式ディスプレイ画面１０３および近接センサ１６を含み、近接センサ１６はタッチ式ディスプレイ画面１０３の下に配置され、タッチ式ディスプレイ画面１０３は、タッチ式ディスプレイ画面１０３がオンにされた場合に物体と電子機器１００の間の距離を検出してタッチ式ディスプレイ画面１０３の表示状態を制御する信号を出力するよう構成される。タッチ式ディスプレイ画面１０３がオンにされた場合に近接センサ１６は非アクティブ状態にされ、タッチ式ディスプレイ画面１０３がオフにされている場合に近接センサ１６はアクティブ状態にされる。
【０１０２】
一部の実施形態では、タッチ式ディスプレイ画面１０３の表示状態は点灯状態と消灯状態を含む。タッチ式ディスプレイ画面１０３が消灯状態の場合に近接センサ１６はアクティブ状態にされ、タッチ式ディスプレイ画面１０３が消灯状態に入る前は近接センサは非アクティブ状態のままとなる。
【０１０３】
タッチ式ディスプレイ画面１０３がオンにされているということはタッチ式ディスプレイ画面１０３が点灯されていることを指し、タッチ式ディスプレイ画面１０３がオフにされているということはタッチ式ディスプレイ画面１０３（のすべて、または一部）が消灯されている、または黒く見えてタッチ式ディスプレイ画面１０３は電源を切られていないことを指すことに留意されたい。さらに、タッチ式ディスプレイ画面１０３がオンにされているということはタッチ式ディスプレイ画面１０３が点灯状態にあることを指し、タッチ式ディスプレイ画面１０３がオフにされているということはタッチ式ディスプレイ画面１０３が消灯状態であるということ指す。
【０１０４】
フローティングタッチをサポートするタッチパネルに配置される２種類の静電容量式センサ、すなわち相互容量センサと自己容量センサがある。自己容量センサは相互容量センサにより生成される信号よりも強度が高い信号を生成することができて、より遠くの指の検出および２０ｍｍまでの検出範囲を検出することができる。相互容量センサの電界はとても弱いので、信号強度は非常に低く、そのような非常に弱い信号を検出するのは不可能である。それゆえ、ユーザの指が画面上をホバー（ｈｏｖｅｒ）する場合に相互容量センサは信号を検出することができない。自己容量センサは相互容量センサより大きい。より大きなセンサは、デバイスが画面から２０ｍｍまで上にある指を検出できるようにする強力な信号を作りだす。フローティングタッチは、自己容量センサおよび相互容量センサの両方をタッチパネル上で動作させることで実現される。相互容量センサは、マルチタッチを含む通常のタッチ検出のすべてに対応するよう構成される。自己容量センサは、画面の上でホバーしている指を検出するよう構成される。フローティングタッチ技術は自己容量センサに依存するので、フローティングマルチタッチを実現するのは不可能である。つまり、フローティング操作が行われる場合には画面はマルチタッチをサポートせず、接触する場合のみ画面はマルチタッチを実現できる。
【０１０５】
本開示の実施形態はさらにコンピュータ可読記憶媒体を提供する。不揮発性コンピュータ可読記憶媒体は、１つまたは複数のプロセッサ２３により実行された場合に、１つまたは複数のプロセッサ２３に上記の実施形態のいずれかの制御方法を実行させるコンピュータ実行可能命令を含む。
【０１０６】
図２５に示されるように、本開示の実施形態はさらにコンピュータ装置３００を提供する。コンピュータ装置は記憶装置３２およびプロセッサ２３を含む。コンピュータ可読命令は記憶装置３２に記憶される。命令がプロセッサ２３により実行されると、プロセッサ２３は上記の実施形態のいずれかの制御方法を実行する。
【０１０７】
図２５は一実施形態のコンピュータ装置３００の内部構成要素を示す模式図である。コンピュータ装置３００は、プロセッサ２３および記憶装置３２（例えば不揮発性記憶媒体）、内部メモリ３３、ディスプレイ層１３、ならびにシステムバス３１により結合される入力装置３４を含む。コンピュータ装置３００の記憶装置３２はオペレーティングシステムおよびコンピュータ可読命令を記憶する。コンピュータ可読命令は、上記の実施形態のいずれかの制御方法を実行するためにプロセッサ２３により実行可能である。
【０１０８】
プロセッサ２３は、コンピュータ装置３００全体の動作をサポートするために演算および制御能力を提供するよう構成されうる。コンピュータ装置３００の内部メモリ３３は、記憶装置３２内のコンピュータ可読命令が動作する環境を提供する。コンピュータ装置３００のディスプレイ層１３はＯＬＥＤディスプレイ層、マイクロＬＥＤディスプレイ層、または同種のものであってもよい。入力装置３４は、ディスプレイ層１３上に配置されるタッチ式ディスプレイ画面１０３であってもよく、あるいは、コンピュータ装置３００の外筐に設けられるボタン、トラックボール、もしくはタッチパッド、または外部キーボード、タッチパッドもしくはマウスであってもよい。コンピュータ装置３００は携帯電話、タブレット、ノートパソコン、携帯情報端末、もしくはウェアラブルデバイス（例えば、スマートブレスレット、スマートウォッチ、スマートヘッドセット、スマートグラス）、または同種のものとすることができる。当業者であれば、図面に示される構造は本開示の解決策に関連する構造の一部の模式図に過ぎず、本開示の解決策が適用されるコンピュータ装置３００の制限とはならないことを理解できる。詳細には、コンピュータ装置３００は図面に示されるものより多くの構成要素、もしくはよりより少ない構成要素を含んでもよく、もしくは、一部の構成要素と結合させてもよく、または構成要素を異なる配置としてもよい。
【０１０９】
当業者であれば、本開示の例示となる上記の方法における活動のすべてまたは一部が、関連するハードウェアに対してコンピュータプログラムにより命令することで実現されうることを理解しうる。コンピュータプログラムは不揮発性コンピュータ可読記憶媒体に記憶されてもよく、コンピュータプログラムは実行時に本開示の方法実施形態で上述した各解決策のフローを含みうる。記憶媒体は磁気ディスク、光ディスク、読み出し専用メモリ（ＲＯＭ）、または同種のものであってもよい。
【０１１０】
上記の実施形態は単に本開示の一部の実装を示し、詳細に説明されているが本開示の範囲を制限するとは解釈されない。当業者は、本開示の原理を逸脱することなく様々な変更および改善を行うことが可能であり、そのような変更および改善は本開示の保護範囲に含まれるということことに留意されたい。それゆえ、本開示の保護範囲は添付の請求項に従う。
【図１】
2021516406.tif 000003
【図２】
2021516406.tif 000004
【図３】
2021516406.tif 000005
【図４】
2021516406.tif 000006
【図５】
2021516406.tif 000007
【図６】
2021516406.tif 000008
【図７】
2021516406.tif 000009
【図８】
2021516406.tif 000010
【図９】
2021516406.tif 000011
【図１０】
2021516406.tif 000012
【図１１】
2021516406.tif 000013
【図１２】
2021516406.tif 000014
【図１３】
2021516406.tif 000015
【図１４】
2021516406.tif 000016
【図１５】
2021516406.tif 000017
【図１６】
2021516406.tif 000018
【図１７】
2021516406.tif 000019
【図１８】
2021516406.tif 000020
【図１９】
2021516406.tif 000021
【図２０】
2021516406.tif 000022
【図２１】
2021516406.tif 000023
【図２２】
2021516406.tif 000024
【図２３】
2021516406.tif 000025
【図２４】
2021516406.tif 000026
【図２５】
2021516406.tif 000027
【図２６】
2021516406.tif 000028
【国際調査報告】
2021516406.tif 000029
2021516406.tif 000030